(57)【要約】【課題】画像提供装置から提供された画像を表示装置の子画面に表示する際に、画像内のオブジェクトの視認性を向上させる。【解決手段】画像を表示する表示領域のサイズを示すサイズ情報をテレビ（１）から取得するサイズ情報取得部（２１）と、サイズ情報を参照し、画像に含まれるオブジェクトの配置を、表示領域のサイズに応じた配置に変更する配置変更部（２２）と、を備えている外部機器（２）。【選択図】図１
2017173763.tif 000002
【特許請求の範囲】
【請求項１】
画像を表示装置に提供する画像提供装置において、
上記画像を表示する表示領域のサイズを示すサイズ情報を上記表示装置から取得するサイズ情報取得部と、
上記サイズ情報を参照し、上記画像に含まれるオブジェクトの配置を、上記表示領域のサイズに応じた配置に変更する配置変更部と、を備えている、
ことを特徴とする画像提供装置。
【請求項２】
当該画像提供装置が表示装置に接続された場合、または、上記表示領域のサイズが変更された場合、
上記配置変更部は、上記画像に含まれるオブジェクトの配置を変更する、
ことを特徴とする請求項１に記載の画像提供装置。
【請求項３】
上記配置変更部は、上記サイズ情報を参照し、上記画像においてオブジェクトを縦に並べる個数を、上記表示領域の縦サイズに応じて変更する、
ことを特徴とする請求項１または２に記載の画像提供装置。
【請求項４】
上記サイズ情報は、上記表示装置の画面全体のサイズに対する上記表示領域の相対サイズである、
ことを特徴とする請求項１から３の何れか１項に記載の画像提供装置。
【請求項５】
上記サイズ情報は、上記表示領域の絶対サイズである、
ことを特徴とする請求項１から３の何れか１項に記載の画像提供装置。
【請求項６】
画像を表示する表示装置と、
上記画像を上記表示装置に提供する画像提供装置と、を備えており、
上記画像提供装置は、
上記画像を表示する表示領域のサイズを示すサイズ情報を上記表示装置から取得するサイズ情報取得部と、
上記サイズ情報を参照し、上記画像に含まれるオブジェクトの配置を、上記表示領域のサイズに応じた配置に変更する配置変更部と、を備えている、
ことを特徴とする画像表示システム。
【請求項７】
画像を表示装置に提供する画像提供方法において、
上記画像を表示する表示領域のサイズを示すサイズ情報を上記表示装置から取得するサイズ情報取得ステップと、
上記サイズ情報を参照し、上記画像に含まれるオブジェクトの配置を、上記表示領域のサイズに応じた配置に変更する配置変更ステップと、を含んでいる、
ことを特徴とする画像提供方法。
【請求項８】
請求項１に記載の画像提供装置としてコンピュータを機能させるためのプログラムであって、上記サイズ情報取得部および上記配置変更部としてコンピュータを機能させるためのプログラム。
【発明の詳細な説明】
【技術分野】
【０００１】
本発明は、テレビジョン受像機等の表示装置に画像を提供する画像提供装置に関する。
【背景技術】
【０００２】
最近のテレビジョン受像機（以下、「テレビ」と記載）には、マルチ画面表示機能を備えたものがある。ここで、マルチ画面表示機能とは、テレビの画面内に複数の表示領域（以下、「子画面」と記載）を設け、各子画面に異なる画像を表示する機能のことを指す。また、テレビにコンテンツを提供するＳＴＢ（Set Top Box）、レコーダ、スマートフォンなどの画像提供装置も増えてきており、テレビの子画面に画像提供装置から提供された画像が表示されることもある（例えば、特許文献１、２参照）。なお、特許文献３、４には、子画面に表示される画像内のオブジェクトが認識可能になるように、画像内のオブジェクトのサイズや、画像を表示する子画面の大きさを調整する技術が開示されている。
【先行技術文献】
【特許文献】
【０００３】
【特許文献１】特許第５０５９５４９号公報（２００９年５月２１日公開）
【特許文献２】特開２０１４−２１５３１８号公報（２０１４年１１月１７日公開）
【特許文献３】特開２０１３−８９０４７号公報（２０１３年５月１３日公開）
【特許文献４】特許第５５２６６５２号公報（２０１１年２月２４日公開）
【発明の概要】
【発明が解決しようとする課題】
【０００４】
ところで、画像提供装置から提供される画像をテレビの子画面に表示すると、その画像内のオブジェクトの視認性が低下するという問題がある。これは、画像提供装置が、その画像に含めるオブジェクトの個数や配置などを、その画像がテレビで全画面表示されることを前提に設定しているためである。録画タイトルを並べた録画リスト画面や、メニュー項目を並べたメニュー画面などは、子画面に表示したときに視認性の低下が生じる画像の典型例である。
【０００５】
本発明は、前記の問題点に鑑みてなされたものであり、その目的は、画像提供装置から提供された画像を表示装置の子画面に表示する際に、画像内のオブジェクトの視認性を向上させることにある。
【課題を解決するための手段】
【０００６】
上記の課題を解決するために、本発明の一態様に係る画像提供装置は、画像を表示装置に提供する画像提供装置において、上記画像を表示する表示領域のサイズを示すサイズ情報を上記表示装置から取得するサイズ情報取得部と、上記サイズ情報を参照し、上記画像に含まれるオブジェクトの配置を、上記表示領域のサイズに応じた配置に変更する配置変更部と、を備えている。
【０００７】
本発明の一態様に係る画像表示システムは、画像を表示する表示装置と、上記画像を上記表示装置に提供する画像提供装置と、を備えており、上記画像提供装置が、上記画像を表示する表示領域のサイズを示すサイズ情報を上記表示装置から取得するサイズ情報取得部と、上記サイズ情報を参照し、上記画像に含まれるオブジェクトの配置を、上記表示領域のサイズに応じた配置に変更する配置変更部と、を備えている。
【０００８】
本発明の一態様に係る画像提供方法は、画像を表示装置に提供する画像提供方法において、上記画像を表示する表示領域のサイズを示すサイズ情報を上記表示装置から取得するサイズ情報取得ステップと、上記サイズ情報を参照し、上記画像に含まれるオブジェクトの配置を、上記表示領域のサイズに応じた配置に変更する配置変更ステップと、を含んでいる。
【発明の効果】
【０００９】
本発明の一態様によれば、画像提供装置から提供された画像を表示装置の子画面に表示する際に、画像内のオブジェクトの視認性を向上させることができるとの効果を奏する。
【図面の簡単な説明】
【００１０】
【図１】本発明の実施形態１に係る画像表示システムの構成を示すブロック図である。
【図２】本発明の実施形態１に係るテレビが外部機器から送信された画像を表示する例を示す模式図である。
【図３】本発明の実施形態１に係るテレビがマルチ画面情報を外部機器に送信するための条件を示す模式図である。
【図４】本発明の実施形態１に係るマルチ画面表示中のテレビに外部機器が接続されたときの処理を示すフローチャートである。
【図５】本発明の実施形態１に係るテレビに外部機器が接続されている状態で、テレビのマルチ画面設定が変更されたときの処理を示すフローチャートである。
【図６】本発明の実施形態１に係る設定項目の配置の優先順位を示す模式図である。
【図７】本発明の実施形態３に係る外部機器がＳＴＢである場合の、外部機器の送信画像、および、テレビにおける表示画像の例を示す画面図である。
【図８】本発明の実施形態４に係る外部機器がレコーダである場合の、外部機器の送信画像、および、テレビにおける表示画像の例を示す画面図である。
【図９】本発明の実施形態５に係る外部機器がスマートフォンである場合の、外部機器の送信画像、および、テレビにおける表示画像の例を示す画面図である。
【発明を実施するための形態】
【００１１】
〔実施形態１〕
以下、本発明の実施形態１について、詳細に説明する。
【００１２】
（画像表示システム１００の構成）
図１は、本実施形態に係る画像表示システム１００の構成を示すブロック図である。図１に示すように、画像表示システム１００は、テレビ（表示装置）１と、外部機器（画像提供装置）２とを備えている。テレビ１と、外部機器２とが接続ケーブル３を介して接続されている。テレビ１は、テレビ１自身による出力画像、および、外部機器２からの送信画像を表示する装置である。
【００１３】
外部機器２は、接続されたテレビ１に画像を提供する画像提供装置である。外部機器２は、サイズ情報取得部２１、配置変更部２２、および、画像送信部２３を備えている。サイズ情報取得部２１は、画像を表示する表示領域のサイズを示すマルチ画面情報（サイズ情報）をテレビ１から取得する。本実施形態に係るマルチ画面情報は、外部機器２からテレビ１に提供された画像を表示する表示領域のサイズを示す情報であり、当該サイズを絶対値として示す情報であってもよいし、当該サイズを相対値として示す情報であってもよいし、当該サイズを計算可能な他の情報であってもよい。
【００１４】
配置変更部２２は、取得されたマルチ画面情報を参照し、画像に含まれるメニュー（オブジェクト）の配置を、表示領域のサイズに応じた配置に変更する。メニューは、外部機器２に関する設定項目であり、例えば、画像の調整、画質の調整、明るさの調整等である。画像送信部２３は、配置されたメニューを含む画像をテレビ１に送信する。
【００１５】
接続ケーブル３は、テレビ１の外部接続端子と、外部機器２の外部接続端子とを接続するケーブルであり、接続している双方の機器から制御情報を伝達する。例えば、ＨＤＭＩ（登録商標、High-Definition Multimedia Interface）ケーブルを使用したＨＤＭＩ ＣＥＣ（High-Definition Multimedia Interface-Consumer Electronics Control）を用いることができる。
【００１６】
（テレビ１および外部機器２の処理概要）
図２は、本実施形態に係るテレビ１が外部機器２から送信された画像を表示する例を示す模式図である。図２に示すように、まず、テレビ１がマルチ画面情報を外部機器２に通知する。外部機器２は、テレビ１から取得したマルチ画面情報に応じた配置の画像をテレビ１に送信する。
【００１７】
テレビ１は、親画面１１と、子画面１２とを設けている。親画面１１は、テレビ画面全体であり、最も大きい表示領域である。子画面１２は、テレビの画面内に設けられた表示領域であり、所定のサイズ、所定の位置に設定可能である。マルチ画面情報が、所定値以上の、親画面１１のサイズを示す場合、外部機器２は、通常のメニュー配置による画像をテレビ１に送信する。マルチ画面情報が、所定値よりも小さい、子画面１２のサイズを示す場合、外部機器２は、通常のメニュー配置を変更したメニュー配置による画像をテレビ１に送信する。
【００１８】
図３は、本実施形態に係るテレビ１がマルチ画面情報を外部機器２に送信するための条件を示す模式図である。図３に示すように、まず、テレビ１は、外部機器２から送信されたコンテンツ画像を全画面（親画面１１）にて表示中である（Ｓ１）。そして、テレビ１において外部機器２の表示領域のサイズが変化した場合（Ｓ２）、テレビ１は、マルチ画面情報を外部機器２に通知する（Ｓ３）。
【００１９】
テレビ１において外部機器２の表示領域のサイズが変化する場合（Ｓ２）には、３通りある。第１に、テレビ１が、外部機器２のコンテンツ画像と、外部機器２の録画リストやメニュー画面とを表示する場合（Ｓ２−１）である。第２に、テレビ１が、外部機器２のコンテンツ画像と、他のコンテンツ画像とを表示する場合（Ｓ２−２）である。第３に、（Ｓ２−１）における外部機器２の録画リストやメニュー画面の表示と、（Ｓ２−２）における他のコンテンツ画像の表示とを切り換える、または、外部機器２の画面を異なるサイズに切り換える場合である。
【００２０】
（テレビ１および外部機器２の処理詳細）
図４は、本実施形態に係るマルチ画面表示中のテレビ１に外部機器２が接続されたときの処理を示すフローチャートである。図４に示すように、テレビ１に外部機器２が接続されると、外部機器２において、サイズ情報取得部２１は、テレビ画面の縦サイズ、外部画像の表示領域の縦サイズである表示縦サイズ（表示領域の絶対サイズ）をテレビ１に問い合わせる（Ｓ４０１）。テレビ１は、外部機器２から問い合わせを受信して、マルチ画面情報として、テレビ画面の縦サイズ（単位はピクセル）、外部画像の表示縦サイズ（単位はピクセル）を外部機器２に通知する（Ｓ４０２）。なお、テレビ画面の縦サイズ、外部画像の表示縦サイズ等を含むサイズの単位は、ピクセルに限定されることなく、他の単位（例えば、実際に表示される実寸、インチ数等）であってもよい。また、テレビ画面の実寸と、テレビ画面のピクセル数と、子画面のピクセル数との組み合わせのデータにより、子画面の実寸を示してもよい。
【００２１】
外部機器２において、サイズ情報取得部２１は、テレビ１からテレビ画面の縦サイズ、外部画像の表示縦サイズを受信して、当該表示縦サイズを取得する（Ｓ４０３）。そして、配置変更部２２は、当該表示縦サイズが所定値より小さいか否かを判定する（Ｓ４０４）。表示縦サイズが所定値より小さい場合（Ｓ４０４のＹＥＳ）、配置変更部２２は、メニューの配置を変更する（Ｓ４０５）。
【００２２】
詳細には、配置変更部２２は、表示縦サイズを参照し、画像に含まれるメニュー（オブジェクト）を縦に並べる個数Ｎを、表示縦サイズ（表示領域の縦サイズ）に応じて変更する。個数Ｎは、式１によって算出される。
【００２３】
Ｎ＝画面の表示サイズ（縦）÷（設定項目の高さ＋縦マージン）・・・式１
（Ｎは小数点以下、切り捨て。右辺の各パラメータの単位はピクセル）
図６は、本実施形態に係るメニュー配置の優先順位を示す模式図である。配置変更部２２は、メニュー項目のうち、ユーザが選択した回数の多いものから優先して配置する。図６（ａ）に示すように、縦に並べる個数Ｎが１である（すなわち、１行に配置する）場合、配置変更部２２は、優先度の高いものから左から右へ配置する。図６（ｂ）に示すように、縦に並べる個数Ｎが２以上である（すなわち、２行以上に配置する）場合、配置変更部２２は、優先度の高いものを先に左列に配置する。
【００２４】
図６（ａ）において、画面に一部が表示されているメニューＭ３に、ユーザがカーソルを当てると、メニューＭ３の全体が表示されるように、画像が左方向へスクロールされる。この場合の処理として、メニューＭ３の全体が表示されるように、左方向へスクロールさせた画像を作成し、テレビ１に送信する。テレビ１は、外部機器２から画像を受信し、表示する。
【００２５】
図６（ｂ）において、画面に一部が表示されているメニューＭ５、または、メニューＭ６に、ユーザがカーソルを当てると、上記と同様の処理により、メニューＭ５、６の全体が表示されるように、画像が左方向へスクロールされる。
【００２６】
なお、図６では、横長の画面を示したが、縦長の画面であってもよい。その場合、配置変更部２２は、表示領域の横サイズである表示横サイズを参照し、画像に含まれるメニューを横に並べる個数Ｎを、表示横サイズに応じて変更する。
【００２７】
図４のＳ４０４において、表示縦サイズが所定値より小さくない、すなわち、表示縦サイズが所定値以上である場合（Ｓ４０４のＮＯ）、配置変更部２２は、通常のメニューの配置を維持する（Ｓ４０６）。
【００２８】
さらに、画像送信部２３は、配置されたメニューを含む画像をテレビ１に送信する（Ｓ４０７）。テレビ１は、外部機器２から画像を受信し、当該画像を外部機器２の表示領域に表示する（Ｓ４０８）。
【００２９】
図５は、本実施形態に係るテレビ１に外部機器２が接続されている状態で、テレビ１のマルチ画面設定が変更されたときの処理を示すフローチャートである。図５に示すように、テレビ１のマルチ画面設定が変更されると、テレビ１は、マルチ画面の設定変更を外部機器２に通知する（Ｓ５０１）。外部機器２は、テレビ１からマルチ画面の設定変更の通知を受けると、外部機器２において、サイズ情報取得部２１は、テレビ画面の縦サイズ、外部画像の表示縦サイズをテレビ１に問い合わせる（Ｓ５０２）。テレビ１は、外部機器２から問い合わせを受信して、マルチ画面情報として、テレビ画面の縦サイズ、外部画像の表示縦サイズを外部機器２に通知する（Ｓ５０３）。
【００３０】
外部機器２において、サイズ情報取得部２１は、テレビ１からテレビ画面の縦サイズ、外部画像の表示縦サイズを受信して、当該表示縦サイズを取得する（Ｓ５０４）。そして、配置変更部２２は、当該表示縦サイズが所定値より小さいか否かを判定する（Ｓ５０５）。表示縦サイズが所定値より小さい場合（Ｓ５０５のＹＥＳ）、配置変更部２２は、メニューの配置を変更する（Ｓ５０６）。詳細には、図４のＳ４０５に関して、式１を用いて説明した処理と同様の処理を行う。
【００３１】
図５のＳ５０５において、表示縦サイズが所定値より小さくない、すなわち、表示縦サイズが所定値以上である場合（Ｓ５０５のＮＯ）、配置変更部２２は、通常のメニューの配置を維持する（Ｓ５０７）。
【００３２】
さらに、画像送信部２３は、配置されたメニューを含む画像をテレビ１に送信する（Ｓ５０８）。テレビ１は、外部機器２から画像を受信し、当該画像を外部機器２の表示領域に表示する（Ｓ５０９）。
【００３３】
なお、上記の説明では、サイズ情報取得部２１が、マルチ画面情報（サイズ情報）として、テレビ１からテレビ画面の縦サイズ、外部画像の表示縦サイズを受信する構成を例に挙げたが、これは本実施形態を限定するものではない。サイズ情報取得部２１は、マルチ画面情報（サイズ情報）として、以下の（Ａ）〜（Ｃ）の何れかの情報を受信する構成としてもよい。
（Ａ）テレビ画面の横サイズ、並びに、外部画像の表示領域の横サイズ
（Ｂ）テレビ画面の横サイズ、並びに、外部画像の表示領域の左辺及び右辺のｘ座標
（Ｃ）テレビ画面の縦サイズ、並びに、外部画像の表示領域の上辺及び下辺のｙ座標
上記の（Ｂ）及び（Ｃ）のように、組み合わせることによって画像のサイズを算出することができる情報も、サイズ情報として用いることができる。
【００３４】
〔実施形態２〕
本発明の実施形態２では、外部機器２の配置変更部２２が、実施形態１と異なる条件を用いて、メニューの配置を変更するか否かを判定する。本実施形態に係るマルチ画面情報は、テレビ１の画面全体のサイズに対する、外部機器２からテレビ１に提供された画像を表示する表示領域の縮小率（相対サイズ）である。
【００３５】
詳細には、外部機器２において、サイズ情報取得部２１は、テレビ１から、マルチ画面情報として、テレビ画面の縦サイズに対する外部画像の表示縦サイズの縮小率を取得する。そして、配置変更部２２は、取得した縮小率が所定値より小さい場合に、メニューの配置を変更する。なお、縮小率は、式２により算出可能である。
【００３６】
縮小率［％］＝（外部画像の表示縦サイズ／テレビ画面の縦サイズ）×１００・・・式２
なお、外部機器２は、テレビ１から、テレビ画面の横サイズに対する外部画像の表示横サイズの縮小率を取得してもよい。また、縮小率を、テレビ画面のピクセル数と、子画面のピクセル数との組み合わせのデータにより示してもよい。
【００３７】
〔実施形態３〕
本発明の実施形態３は、外部機器２がＳＴＢである場合の、それぞれがメニュー項目に対応する複数のアイコン（オブジェクト）を含むメニュー画面の表示に関する。図７は、本実施形態に係る外部機器２がＳＴＢである場合の、外部機器２の送信画像、および、テレビ１における表示画像の例を示す画面図である。
【００３８】
図７（ａ）に示すように、ＳＴＢのメニュー画面が、テレビ１の親画面１１に表示される場合、ＳＴＢがテレビ１に送信するメニュー画面は、標準メニュー画面となる。図７の（ｂ）に示すように、ＳＴＢのメニュー画面が、テレビ１の子画面１２に表示される場合、ＳＴＢがテレビ１に送信するメニュー画面は、アイコンの配置が標準メニュー画面とは異なるメニュー画面となる。
【００３９】
上記に対応する処理として、ＳＴＢのサイズ情報取得部２１は、メニュー画面を表示する表示領域のサイズを示すマルチ画面情報をテレビ１から取得する。そして、ＳＴＢの配置変更部２２は、マルチ画面情報を参照し、メニュー画面に含まれるアイコンの配置を、表示領域のサイズに応じた配置に変更する。
【００４０】
〔実施形態４〕
本発明の実施形態４は、外部機器２がレコーダである場合の、それぞれが録画タイトルに対応する複数のサムネイル画像（オブジェクト）を含む録画リスト画面の表示に関する。図８は、本実施形態に係る外部機器２がレコーダである場合の、外部機器２の送信画像、および、テレビ１における表示画像の例を示す画面図である。
【００４１】
図８（ａ）に示すように、レコーダの録画リスト画面が、テレビ１の親画面１１に表示される場合、レコーダがテレビ１に送信する録画リスト画面は、標準メニュー画面となる。図７の（ｂ）に示すように、レコーダの録画リスト画面が、テレビ１の子画面１２に表示される場合、レコーダがテレビ１に送信する録画リスト画面は、サムネイル画像の配置が標準メニュー画面とは異なるメニュー画面となる。
【００４２】
上記に対応する処理として、レコーダのサイズ情報取得部２１は、録画リスト画面を表示する表示領域のサイズを示すマルチ画面情報をテレビ１から取得する。そして、レコーダの配置変更部２２は、マルチ画面情報を参照し、録画リスト画面に含まれるサムネイル画像の配置を、表示領域のサイズに応じた配置に変更する。
【００４３】
〔実施形態５〕
本発明の実施形態５は、外部機器２がスマートフォンである場合の、それぞれがアプリケーションに対応する複数のアイコン（オブジェクト）を含むホーム画面の表示に関する。図９は、本実施形態に係る外部機器２がスマートフォンである場合の、外部機器２の送信画像、および、テレビ１における表示画像の例を示す画面図である。
【００４４】
図９（ａ）に示すように、スマートフォンのホーム画面が、テレビ１の親画面１１に表示される場合、スマートフォンがテレビ１に送信するホーム画面は、ポートレイトモードのレイアウトとなる。図９（ｂ）に示すように、スマートフォンのホーム画面が、テレビ１の子画面１２に表示される場合、スマートフォンがテレビ１に送信するホーム画面は、ランドスケープモードのレイアウトとなる。
【００４５】
上記に対応する処理として、スマートフォンのサイズ情報取得部２１は、ホーム画面を表示する表示領域のサイズを示すマルチ画面情報をテレビ１から取得する。そして、スマートフォンの配置変更部２２は、マルチ画面情報を参照し、ホーム画面に含まれるアイコンの配置を、表示領域のサイズに応じた配置に変更する。また、メニューの配置変更においては、可変グリッドレイアウトを行う自動配置ソフトを用いて、メニューの配置を設定してもよい。自動配置ソフトには、例えば、ウィジェット・ツールキットの「レイアウトマネージャー」がある。
【００４６】
〔ソフトウェアによる実現例〕
外部機器２の制御ブロック（配置変更部２２）は、集積回路（ＩＣチップ）等に形成された論理回路（ハードウェア）によって実現してもよいし、ＣＰＵ（Central Processing Unit）を用いてソフトウェアによって実現してもよい。
【００４７】
後者の場合、外部機器２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００４８】
〔まとめ〕
本発明の態様１に係る画像提供装置（外部機器２）は、画像を表示装置（テレビ１）に提供する画像提供装置において、上記画像を表示する表示領域のサイズを示すサイズ情報を上記表示装置から取得するサイズ情報取得部（２１）と、上記サイズ情報を参照し、上記画像に含まれるオブジェクトの配置を、上記表示領域のサイズに応じた配置に変更する配置変更部（２２）と、を備えている。
【００４９】
上記の構成によれば、画像提供装置から提供された画像を表示装置の子画面に表示する際に、画像内のオブジェクトの視認性を向上させることができる。
【００５０】
本発明の態様２に係る画像提供装置は、上記態様１において、当該画像提供装置が表示装置に接続された場合、または、上記表示領域のサイズが変更された場合、上記配置変更部が、上記画像に含まれるオブジェクトの配置を変更してもよい。
【００５１】
上記の構成によれば、適切なタイミングで、画像に含まれるオブジェクトの配置を変更することができる。
【００５２】
本発明の態様３に係る画像提供装置は、上記態様１または２において、上記配置変更部が、上記サイズ情報を参照し、上記画像においてオブジェクトを縦に並べる個数を、上記表示領域の縦サイズに応じて変更してもよい。
【００５３】
上記の構成によれば、オブジェクトを縦に並べる際の視認性の低下を回避することができる。
【００５４】
本発明の態様４に係る画像提供装置は、上記態様１から３において、上記サイズ情報が、上記表示装置の画面全体のサイズに対する上記表示領域の相対サイズであってもよい。
【００５５】
上記の構成によれば、表示装置の画面全体のサイズに依存しないので、判定処理自体が簡単になる。
【００５６】
本発明の態様５に係る画像提供装置は、上記態様１から３において、上記サイズ情報が、上記表示領域の絶対サイズであってもよい。
【００５７】
上記の構成によれば、表示装置の画面全体のサイズに応じて、画像内のオブジェクトが変形して判別不可にならないように処理することができる。
【００５８】
本発明の態様６に係る画像表示システム（１００）は、画像を表示する表示装置（テレビ１）と、上記画像を上記表示装置に提供する画像提供装置（外部機器２）と、を備えており、上記画像提供装置が、上記画像を表示する表示領域のサイズを示すサイズ情報を上記表示装置から取得するサイズ情報取得部（２１）と、上記サイズ情報を参照し、上記画像に含まれるオブジェクトの配置を、上記表示領域のサイズに応じた配置に変更する配置変更部（２２）と、を備えている。
【００５９】
本発明の態様７に係る画像提供方法は、画像を表示装置（テレビ１）に提供する画像提供方法において、上記画像を表示する表示領域のサイズを示すサイズ情報を上記表示装置から取得するサイズ情報取得ステップと、上記サイズ情報を参照し、上記画像に含まれるオブジェクトの配置を、上記表示領域のサイズに応じた配置に変更する配置変更ステップと、を含んでいる。
【００６０】
本発明の各態様に係る画像提供装置は、コンピュータによって実現してもよく、この場合には、コンピュータを上記画像提供装置が備える各部（ソフトウェア要素）として動作させることにより上記画像提供装置をコンピュータにて実現させる画像提供装置の制御プログラムも、本発明の範疇に入る。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６２】
１  テレビ（表示装置）
１１  親画面
１２  子画面
２  外部機器（画像提供装置）
２１  サイズ情報取得部
２２  配置変更部
２３  画像送信部
１００  画像表示システム
【図１】
2017173763.tif 000003
【図２】
2017173763.tif 000004
【図３】
2017173763.tif 000005
【図４】
2017173763.tif 000006
【図５】
2017173763.tif 000007
【図６】
2017173763.tif 000008
【図７】
2017173763.tif 000009
【図８】
2017173763.tif 000010
【図９】
2017173763.tif 000011
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
画像を表示装置に提供する画像提供装置において、
上記画像を表示する表示領域のサイズを示すサイズ情報を上記表示装置から取得するサイズ情報取得部と、
上記サイズ情報を参照し、上記画像に含まれるオブジェクトの配置を、上記表示領域のサイズに応じた配置に変更する配置変更部と、を備えており、
上記表示領域は、上記表示装置が備える画面の一部領域である
ことを特徴とする画像提供装置。
【請求項２】
当該画像提供装置が表示装置に接続された場合、
上記配置変更部は、上記画像に含まれるオブジェクトの配置を変更する、
ことを特徴とする請求項１に記載の画像提供装置。
【請求項３】
上記表示領域のサイズが変更された場合、
上記配置変更部は、上記画像に含まれるオブジェクトの配置を変更する、
ことを特徴とする請求項１に記載の画像提供装置。
【請求項４】
上記配置変更部は、上記サイズ情報を参照し、上記画像においてオブジェクトを縦に並べる個数を、上記表示領域の縦サイズに応じて変更する、
ことを特徴とする請求項１から３の何れか１項に記載の画像提供装置。
【請求項５】
上記サイズ情報は、上記表示装置の画面全体のサイズに対する上記表示領域の相対サイズである、
ことを特徴とする請求項１から４の何れか１項に記載の画像提供装置。
【請求項６】
上記サイズ情報は、上記表示領域の絶対サイズである、
ことを特徴とする請求項１から４の何れか１項に記載の画像提供装置。
【請求項７】
画像を表示する表示装置と、
上記画像を上記表示装置に提供する画像提供装置と、を備えており、
上記画像提供装置は、
上記画像を表示する表示領域のサイズを示すサイズ情報を上記表示装置から取得するサイズ情報取得部と、
上記サイズ情報を参照し、上記画像に含まれるオブジェクトの配置を、上記表示領域のサイズに応じた配置に変更する配置変更部と、を備えており、
上記表示領域は、上記表示装置が備える画面の一部領域である
ことを特徴とする画像表示システム。
【請求項８】
画像を表示装置に提供する画像提供方法において、
上記画像を表示する表示領域のサイズを示すサイズ情報を上記表示装置から取得するサイズ情報取得ステップと、
上記サイズ情報を参照し、上記画像に含まれるオブジェクトの配置を、上記表示領域のサイズに応じた配置に変更する配置変更ステップと、を含んでおり、
上記表示領域は、上記表示装置が備える画面の一部領域である
ことを特徴とする画像提供方法。
【請求項９】
請求項１に記載の画像提供装置としてコンピュータを機能させるためのプログラムであって、上記サイズ情報取得部および上記配置変更部としてコンピュータを機能させるためのプログラム。